(57)【要約】      （修正有）【課題】大型化を抑制したヘルメットを提供する。【解決手段】ヘルメット本体１０５と、表示光ＬＸを出射する投射器５５と、投射器５５により出射された表示光ＬＸをヘルメット装着者が視認可能な方向に反射するコンバイナ５７とを備えたヘルメット１０１において、ヘルメット本体１０５におけるヘルメット装着者の顎部を覆う領域に設けられ、投射器５５により出射された表示光ＬＸをコンバイナ５７に向けて反射する凹面ミラー５３をさらに設け、投射器５５を、ヘルメット本体１０５におけるヘルメット装着者の顎部を覆う領域の凹面ミラー５３よりもヘルメット装着者から見て左側に内蔵する。【選択図】図３
2020100911.tif 000002
【特許請求の範囲】
【請求項１】
ヘルメット本体と、表示光を出射する投射器と、上記投射器により出射された表示光をヘルメット装着者が視認可能な方向に反射するコンバイナとを備えたヘルメットであって、
上記ヘルメット本体における上記ヘルメット装着者の顎部を覆う領域に設けられ、上記投射器により出射された表示光を上記コンバイナに向けて反射するミラーをさらに備え、
上記投射器は、上記ヘルメット本体における上記ヘルメット装着者の顎部を覆う領域の上記ミラーよりも上記ヘルメット装着者から見て右側又は左側に内蔵されていることを特徴とするヘルメット。
【請求項２】
請求項１に記載のヘルメットにおいて、
上記ヘルメット本体における上記ヘルメット装着者の顎部を覆う領域の左右方向中央部には、曇り止め用のエアダクトが設けられ、
上記ミラーは、上記ヘルメット本体における上記ヘルメット装着者の顎部を覆う領域の左右方向中央よりも左右方向一方寄りの箇所に設けられ、
上記投射器は、上記ヘルメット本体における上記ヘルメット装着者の顎部を覆う領域の上記ミラーよりも上記左右方向一方側でかつ上記ミラーよりも後方の箇所に内蔵されていることを特徴とするヘルメット。
【請求項３】
請求項１又は２に記載のヘルメットにおいて、
上記ミラーは、上記ヘルメット本体における上記ヘルメット装着者の顎部を覆う領域の左右方向中央よりも左右方向一方寄りの箇所に設けられ、
上記コンバイナは、上記ヘルメット装着者の上記左右方向一方の眼の前方に設けられていることを特徴とするヘルメット。
【発明の詳細な説明】
【技術分野】
【０００１】
本発明は、投射器により出射された表示光をヘルメット装着者が視認可能な方向に反射するコンバイナを備えたヘルメットに関する。
【背景技術】
【０００２】
特許文献１には、ヘルメット本体と、表示光を出射する投射器と、上記投射器により出射された表示光をヘルメット装着者が視認可能な方向に反射するコンバイナとを備えたヘルメットが開示されている。
【先行技術文献】
【特許文献】
【０００３】
【特許文献１】特開２００８−６５５９３号公報
【発明の概要】
【発明が解決しようとする課題】
【０００４】
ところで、特許文献１のようなヘルメットにおいて、投射器により出射された表示光をコンバイナに向けて反射させるミラーを、ヘルメット本体における上記ヘルメット装着者の顎部を覆う領域に設ける場合に、ヘルメット本体におけるミラーの後方に投射器を内蔵させると、ヘルメット本体のミラー配設箇所に、投射器からミラーまでの光路分の厚さを確保する必要が生じ、ヘルメットの大型化を招く。このような問題は、表示光の虚像を遠くに見えるようにする目的で、投射器からミラーまでの光路を長く設定する場合に特に顕著になる。
【０００５】
本発明は、かかる点に鑑みてなされたものであり、その目的とするところは、ヘルメットの大型化を抑制することにある。
【課題を解決するための手段】
【０００６】
第１の発明は、ヘルメット本体と、表示光を出射する投射器と、上記投射器により出射された表示光をヘルメット装着者が視認可能な方向に反射するコンバイナとを備えたヘルメットを対象とし、次のような解決手段を講じた。
【０００７】
すなわち、第１の発明は、上記ヘルメット本体における上記ヘルメット装着者の顎部を覆う領域に設けられ、上記投射器により出射された表示光を上記コンバイナに向けて反射するミラーをさらに備え、上記投射器は、上記ヘルメット本体における上記ヘルメット装着者の顎部を覆う領域の上記ミラーよりも上記ヘルメット装着者から見て右側又は左側に内蔵されていることを特徴とする。
【０００８】
これにより、投射器をミラーと前後方向に重ならない位置に設け、表示光の光路を左右方向に延びるようにしたので、ヘルメット本体のミラー配設箇所に投射器からミラーまでの光路分の厚さを確保しなくてもよい。したがって、投射器からミラーまでの光路を長く設定する場合でも、ヘルメット本体におけるミラーの後方に投射器を内蔵させる場合に比べ、ヘルメット本体のミラー配設箇所を薄くし、ヘルメットの大型化を抑制できる。
【０００９】
また、第２の発明は、第１の発明のヘルメットにおいて、上記ヘルメット本体における上記ヘルメット装着者の顎部を覆う領域の左右方向中央部には、曇り止め用のエアダクトが設けられ、上記ミラーは、上記ヘルメット本体における上記ヘルメット装着者の顎部を覆う領域の左右方向中央よりも左右方向一方寄りの箇所に設けられ、上記投射器は、上記ヘルメット本体における上記ヘルメット装着者の顎部を覆う領域の上記ミラーよりも上記左右方向一方側でかつ上記ミラーよりも後方の箇所に内蔵されていることを特徴とする。
【００１０】
これにより、表示光の光路が、ヘルメット本体におけるヘルメット装着者の顎部を覆う領域の左右方向中央よりも左右方向一方寄りの部分で延びるので、ヘルメット本体におけるヘルメット装着者の顎部を覆う領域の左右方向中央に、表示光を通過させるためのスペースを設けなくてよい。したがって、表示光の光路をヘルメット装着者の顎部を覆う領域における左右方向中央に配置した場合に比べ、エアダクトの形状の自由度を高めることができる。
【００１１】
また、第３の発明は、第１又は第２の発明のヘルメットにおいて、上記ミラーは、上記ヘルメット本体における上記ヘルメット装着者の顎部を覆う領域の左右方向中央よりも左右方向一方寄りの箇所に設けられ、上記コンバイナは、上記ヘルメット装着者の上記左右方向一方の眼の前方に設けられていることを特徴とする。
【００１２】
これにより、表示光がミラーからコンバイナに至るまでにヘルメット装着者の鼻の前を通過しないので、ミラーをヘルメット装着者の鼻の先端よりも後方に設置しても、ミラーからコンバイナまでの表示光の光路がヘルメット装着者の鼻と干渉しない。したがって、コンバイナをヘルメット装着者の左右方向他方の眼の前方に設けた場合に比べ、ミラーの位置を後方に設定できるので、ヘルメット本体のミラー配設箇所を薄くし、ヘルメットを小型化できる。
【発明の効果】
【００１３】
本発明によれば、ヘルメットの大型化を抑制できる。
【図面の簡単な説明】
【００１４】
【図１】本発明の実施形態１に係るヘルメットを備えた情報提示システムの概略的な全体構成図である。
【図２】本発明の実施形態１に係るヘルメットを備えた情報提示システムの概略構成を示す機能ブロック図である。
【図３】本発明の実施形態１に係るヘルメットの正面図である。
【図４】本発明の実施形態１に係るヘルメットの側面図である。
【図５】実施形態２の図３相当図である。
【発明を実施するための形態】
【００１５】
以下、例示的な実施形態を図面に基づいて詳細に説明する。なお、以下の実施形態では、便宜上、ヘルメット装着者の顔の上下に相当する方向における上側を「上」、下側を「下」と称し、ヘルメット装着者から見て左側を「左」、右側を「右」と称する。
【００１６】
（実施形態１）
図１は、情報提示システム１の概略的な全体構成図である。また、図２は、情報提示システム１の概略構成を示すブロック図である。なお、図１において、二点鎖線の矢印は、表示光ＬＸの経路および進行方向を示している。情報提示システム１は、自動二輪車のライダー（ヘルメット装着者）に向けて運転支援に寄与する情報を提供するシステムであって、図１および図２に示すように、自動二輪車の本発明の実施形態１に係るヘルメット１０１に搭載されたＨＵＤ装置３と、ＨＵＤ装置３に表示され得る各種情報を提供する通信情報端末としてのスマートフォン５とを備えている。
【００１７】
スマートフォン５は、外部との無線通信を行う無線通信モジュール７と、ＧＰＳ衛星Ｓからの電波を受信して測位情報を生成するＧＰＳ（Global Positioning System）モジュール９と、スマートフォン５の動作を総合的に制御するマイクロコンピュータ１１とを備えている。
【００１８】
ＧＰＳモジュール９は、図示しないＧＰＳアンテナなどを備えて構成されている。ＧＰＳアンテナは、地球軌道に打ち上げられた複数のＧＰＳ衛星から送信されるＧＰＳ信号を受信する。ＧＰＳモジュール９は、ＧＰＳアンテナで受信したＧＰＳ信号に基づいて情報端末の現在位置（例えば緯度、経度および高度）の情報を取得する。このＧＰＳモジュール９は、マイクロコンピュータ１１からの要求に応じて、測位したスマートフォン５の位置情報をマイクロコンピュータ１１に含まれるメモリ１７に保存し、逐次更新する。
【００１９】
無線通信モジュール７は、インターネットなどの広域通信網である外部ネットワークＮと通信を行うネットワーク通信部１３と、ＨＵＤ装置３と近距離無線通信を行う近距離通信部１５とを備えている。
【００２０】
ネットワーク通信部１３は、ＷｉＦｉ（Wireless Fidelity）などの無線ＬＡＮ（Local Area Network）の機能や、４ＧおよびＬＴＥ（Long Time Evolution）といったモバイル通信規格での通信機能を有している。このネットワーク通信部１３は、マイクロコンピュータ１１からの要求に応じて、外部ネットワークＮから地図情報や、工事や渋滞などに関する道路情報、ＧＰＳモジュールで取得された現在位置に基づく周辺施設の情報、災害情報などのネット情報を受信して、メモリ１７に一時的に蓄積する。
【００２１】
近距離通信部１５は、ブルートゥース（Bluetooth：登録商標）などの近距離無線通信規格での通信機能を有している。この近距離通信部１５は、マイクロコンピュータ１１からの要求に応じて、ＧＰＳモジュール９で取得されたスマートフォン５の位置情報や、ネットワーク通信部１３で取得されたネット情報、後述する各種のアプリケーションソフトウェア（以下「アプリ」と称する）により取得されるアプリ情報などをメモリ１７から読み出して、無線通信によりＨＵＤ装置３へと送信する。
【００２２】
マイクロコンピュータ１１は、メモリ１７およびＣＰＵ（Central Processing Unit）１９を含んでいる。メモリ１７は、スマートフォン５を動作させるためのプログラムを含む様々な情報を一時的または恒久的に保存する。このメモリ１７は、典型的には、ＲＡＭ（Random Access Memory）とＲＯＭ（Read Only Memory）の組合せによって実現される。当該メモリ１７に記憶される各種のプログラムには、モバイルＯＳ（Operating System）や、モバイルＯＳ上で特定機能を実現すべく動作する複数のアプリが含まれている。
【００２３】
複数のアプリには、時刻アプリ２１、速度アプリ２３、ナビゲーションアプリ（以下「ナビアプリ」と称する）２５および連携アプリ２７が含まれている。
【００２４】
時刻アプリ２１は、基地局との通信で取得されるタイムスタンプやＧＰＳモジュールで取得される時刻情報に基づき、さらにはＮＩＴＺ（Network Identity and Time Zone）やＮＴＰ（Network Time Protocol）といった時刻同期技術を用いて現在時刻を取得するソフトウェアである。速度アプリ２３は、ＧＰＳモジュール９で取得されるスマートフォン５の位置情報に基づいて移動速度を検出するソフトウェアである。
【００２５】
ナビアプリ２５は、ネットワーク通信部１３で取得された、またはメモリ１７に保存された地図情報と、ＧＰＳモジュール９で取得されるスマートフォン５の位置情報とに基づいて、目的地への経路案内を行うソフトウェアである。連携アプリ２７は、近距離通信部１５による通信でＨＵＤ装置３と連携し、ＨＵＤ装置３へアプリ情報やネット情報を送信するソフトウェアであって、ＨＵＤ装置３で表示する項目を現在時刻、移動速度および経路案内情報（ナビゲーション情報）を含む複数の項目から設定できるようになっている。
【００２６】
ＣＰＵ１９は、典型的には、ＩＣ（Integrated Circuit）やＬＳＩ（Large Scale Integration）、ＡＳＩＣ（Application Specific Integration Circuit）などによって実現される。マイクロコンピュータ１１は、ＣＰＵ１９の機能により、ＧＰＳモジュール９に現在位置の情報を取得させ、ネットワーク通信部１３に外部ネットワークＮとの接続を確立させてネット情報を収集すると共に、連携アプリ２７の実行により、近距離通信部１５にＨＵＤ装置３との接続を確立させ、それ以外の各種アプリ２１，２３，２５の実行に応じた種々の処理を行って取得したアプリ情報やネット情報をＨＵＤ装置３に送信する。
【００２７】
− ＨＵＤ装置の構成 −
図３は、ＨＵＤ装置３が搭載されたヘルメット１０１の正面図である。図４は、ＨＵＤ装置３が搭載されたヘルメット１０１の側面図である。なお、図３においては、ＰＣＢモジュール４３の図示を省略する。
【００２８】
ＨＵＤ装置３は、図１および図２に示すように、外部との無線通信を行う無線通信モジュール３１と、当該装置３での表示動作を制御する制御ユニット３３と、表示光ＬＸを生成して投射および導光する光学モジュール３５と、表示光ＬＸによる表示像を虚像としてヘルメット装着者に視認させるコンバイナユニット３７と、当該装置３へのヘルメット装着者による操作を入力するための操作部３９と、当該装置３の駆動に必要な電力を供給する電源４１とを備えている。
【００２９】
ＨＵＤ装置３が搭載されるヘルメット１０１は、フルフェイス型のヘルメットであって、前面にヘルメット装着者の顔面を覗かせる窓孔１０３が形成されたヘルメット本体１０５と、窓孔１０３を開閉し得る透光性を有するシールド１０７とを備えて構成されている。ヘルメット本体１０５は、その外表面を構成するシェル１０５ａと、シェル１０５ａの内側にシェル１０５ａの内面全体を覆うように固定された衝撃吸収ライナー１０５ｂとを備えている。また、ヘルメット本体１０５におけるヘルメット装着者の顎部を覆う領域の左右方向中央部には、両端部に通気口１０５ｃ，１０５ｄを有する曇り止め用のエアダクト１０５ｅが前後方向に延びるように設けられている。一方の通気口１０５ｃは、ヘルメット本体１０５の外表面（シェル１０５ａ）におけるヘルメット装着者の顎部を覆う領域の左右方向中央部で開口し、他方の通気口１０５ｄは、シールド１０７の内側に位置し、ヘルメット本体１０５の窓孔１０３の下側端面の左右方向中央部で上方に開口している。ヘルメット装着者が二輪車等で走行すると、空気が上記一方の通気口１０５ｃからエアダクト１０５ｅを介して他方の通気口１０５ｄに導かれ、シールド１０７の内面に当たるようになっている。なお、図３では、通気口１０５ｄの図示を省略している。シールド１０７は、ヘルメット本体１０５の窓孔１０３の左右両側にねじなどの留め具４２で回動可能に取り付けられており、上下方向への回動動作を以て窓孔１０３を開閉するようになっている。当該シールド１０７は、窓孔１０３を閉じた状態で、窓孔１０３を通して飛び込む塵埃などの異物や風、紫外線などをブロックする機能を有している。
【００３０】
無線通信モジュール３１は、ブルートゥースなどの近距離無線通信規格での通信機能を有している。制御ユニット３３内のマイクロコンピュータ４９からの要求に応じて、スマートフォン５の近距離通信部１５から送信されたネット情報やアプリ情報を受信し、マイクロコンピュータ４９に含まれるメモリ４５に一時的に蓄積する。この無線通信モジュール３１は、制御ユニット３３と共にＰＣＢ（Printed Circuit Board）上に設けられ、ＰＣＢモジュール４３としてヘルメット１０１におけるヘルメット本体１０５の左頬下部分に内蔵される。
【００３１】
制御ユニット３３は、メモリ４５およびＣＰＵ４７を含むマイクロコンピュータ４９と、ＧＤＣ（Graphics Display Controller）５１とを有している。メモリ４５は、ＨＵＤ装置３を動作させるためのプログラムを含む様々な情報を一時的または恒久的に保存する。このメモリ４５には、無線通信モジュール３１で受信したネット情報およびアプリ情報も一時的に保存される。当該メモリ４５は、典型的には、ＲＡＭとＲＯＭの組合せによって実現される。
【００３２】
ＣＰＵ４７は、典型的には、ＩＣやＬＳＩ、ＡＳＩＣなどによって実現される。ＧＤＣ５１は、メモリ４５に保存されたネット情報やアプリ情報に基づき、コンバイナユニット３７に含まれるコンバイナ５７を介してヘルメット装着者に視認させる表示画像を生成する。このＧＤＣ５１で生成される表示画像は、スマートフォン５の連携アプリ２７での設定項目に応じた情報を表す画像である。マイクロコンピュータ４９は、ＣＰＵ４７の機能により、ＧＤＣ５１に表示画像を生成させ、その画像信号を光学モジュール３５に含まれる投射器５５に出力させる。
【００３３】
光学モジュール３５は、入射した表示光ＬＸをコンバイナユニット３７に向けて反射する凹面ミラー５３と、ＧＤＣ５１から入力された表示信号に対応するパターンの表示光ＬＸ、すなわち表示画像を表示するための表示光ＬＸを凹面ミラー５３に向けて出射する投射器５５を備えている。
【００３４】
凹面ミラー５３は、ヘルメット本体１０５におけるヘルメット装着者の顎部を覆う領域における左右方向中央よりも右寄りの箇所に内蔵されている。この凹面ミラー５３は、回転対称性を持たない自由曲面形状の反射面５６（図示では平面状）を有しており、投射器５５から受けた表示光ＬＸを、その反射面５６により、上方にあるコンバイナユニット３７に含まれるコンバイナ５７に向けて反射すると共に、ヘルメット装着者に視認される表示像が運転中の表示に適したサイズおよび位置となるように整形する。
【００３５】
投射器５５は、ヘルメット本体１０５におけるヘルメット装着者の顎部を覆う領域における左右方向中央よりも左側の箇所に内蔵されている。したがって、投射器５５は、凹面ミラー５３よりも左側に位置している。投射器５５は、シェル１０５ａと衝撃吸収ライナー１０５ｂとの間に介在している。この投射器５５は、詳しく図示しないが、ＬＥＤ（Light Emitting Diode）などの光源およびＬＣＯＳ（Liquid Crystal On Silicon）などの反射型表示パネルからなる表示素子と、凸レンズや凹レンズなどの光学レンズ、拡散板、ＴＩＲ（Total Internal Reflection）プリズムといった複数の光学部材とを組み合わせて、ヘルメット本体１０５における右側に向けて表示光ＬＸを出射するように構成されている。
【００３６】
コンバイナユニット３７は、凹面ミラー５３で反射された表示光ＬＸを下方から受けてヘルメット装着者が視認可能な方向に向けて反射するコンバイナ５７と、コンバイナ５７をヘルメット１０１の前面に位置させるように支持する支持機構５９とを備えている。
【００３７】
コンバイナ５７は、透明または半透明な板状部品であって、回転対称性を持たない自由曲面形状の半透過反射面６０（図示では平面状）を有している。このコンバイナ５７は、図示しないが、透光性を有する基板と、基板の一方面に形成された半透過反射面６０をなす金属反射膜や誘電体多層膜からなる反透過反射層とを有するハーフミラーによって構成されており、フッ化マグネシウム（ＭｇＦ２）などからなるＡＲ（Anti Reflection）コートと呼ばれる反射防止膜を裏面に有している。
【００３８】
支持機構５９は、ヘルメット１０１の前面に設けられた窓孔１０３内でヘルメット装着者の前方視界に入る位置、具体的にはヘルメット装着者の右眼Ｅの前方位置において、コンバイナ５７を、閉状態のシールド１０７内に配置させ、且つ半透過反射面６０がヘルメット装着者の顔側に位置するように、後端が上方に位置する一方で前端が下方に位置する前傾姿勢で支持する。
【００３９】
操作部３９は、ヘルメット１０１のＰＣＢモジュール４３に対応する箇所に設けられている。この操作部３９は、図３に示すように、電源ボタン３９ａと、操作ボタン３９ｂとを含んでいる。電源ボタン３９ａは、ＨＵＤ装置３の電源４１のオンおよびオフ（入切）を切り替える機能を持たせたプッシュ式スイッチである。操作ボタン３９ｂは、ＨＵＤ装置３の表示をオンおよびオフを切り替える機能を持たせたプッシュ式スイッチである。
【００４０】
電源４１は、ヘルメット１０１の後頭部に内蔵されている。この電源４１は、リチウムイオンバッテリなどの二次電池によって構成されている。当該電源４１は、無線通信モジュール３１、制御ユニット３３および投射器５５と接続されており、電源ボタン３９ａをプッシュする操作がされると、それら無線通信モジュール３１、制御ユニット３３および投射器５５に電力を供給し、ＨＵＤ装置３を作動させるようになっている。
【００４１】
上記構成の情報提示システム１では、ＨＵＤ装置３の電源が入れられて、スマートフォン５の連携アプリ２７の実行によりネット情報やアプリ情報がＨＵＤ装置３で受信される。そして、操作部３９にて操作ボタン３９ｂをプッシュする操作がされると、受信したネット情報やアプリ情報に基づいて予め設定された項目に対応する表示画像がＧＤＣ５１にて生成され、その表示画像に応じた表示光ＬＸが投射器５５から出射された後に凹面ミラー５３で反射される。そして、凹面ミラー５３で反射された表示光ＬＸが、コンバイナ５７に投光されて、コンバイナ５７でヘルメット装着者の視界に入るようにさらに反射される。これにより、ヘルメット装着者は、コンバイナ５７越しに前方視界の風景に重畳した状態で表示光ＬＸによる表示像を虚像として視認させられる。
【００４２】
したがって、本実施形態１によると、投射器５５を凹面ミラー５３と前後方向に重ならない位置に設け、表示光ＬＸの光路を左右方向に延びるようにしたので、ヘルメット本体１０５の凹面ミラー５３配設箇所に投射器５５から凹面ミラー５３までの光路分の厚さを確保しなくてもよい。したがって、投射器５５から凹面ミラー５３までの光路を長く設定する場合でも、ヘルメット本体１０５における凹面ミラー５３の後方に投射器５５を内蔵させる場合に比べ、ヘルメット本体１０５の凹面ミラー５３配設箇所を薄くし、ヘルメット１０１の大型化を抑制できる。
【００４３】
また、表示光ＬＸが凹面ミラー５３からコンバイナ５７に至るまでにヘルメット装着者の鼻の前を通過しないので、凹面ミラー５３をヘルメット装着者の鼻の先端よりも後方に設置しても、凹面ミラー５３からコンバイナ５７までの表示光ＬＸの光路がヘルメット装着者の鼻と干渉しない。したがって、コンバイナ５７をヘルメット装着者の左眼の前方に設けた場合に比べ、凹面ミラー５３の位置を後方に設定できるので、ヘルメット本体１０５の凹面ミラー５３配設箇所を薄くし、ヘルメット１０１を小型化できる。
【００４４】
（実施形態２）
図５は、本発明の実施形態２に係るヘルメット１０１を示す。本実施形態２では、投射器５５が、ヘルメット本体１０５におけるヘルメット装着者の顎部を覆う領域における凹面ミラー５３よりも右側でかつ凹面ミラー５３よりも後方の箇所に内蔵され、ヘルメット本体１０５における左側斜め前方に向けて表示光ＬＸを出射するように構成されている。
【００４５】
その他の構成は、実施形態１と同じであるので、同一の構成には同一の符号を付してその詳細な説明を省略する。
【００４６】
したがって、本実施形態２によると、表示光ＬＸの光路が、ヘルメット本体１０５におけるヘルメット装着者の顎部を覆う領域の左右方向中央よりも右寄りの部分で延びるので、ヘルメット本体１０５におけるヘルメット装着者の顎部を覆う領域の左右方向中央に、表示光ＬＸを通過させるためのスペースを設けなくてよい。したがって、表示光ＬＸの光路をヘルメット装着者の顎部を覆う領域における左右方向中央に配置した場合に比べ、エアダクト１０５ｅの形状の自由度を高めることができる。
【００４７】
なお、上記実施形態１，２では、コンバイナ５７をヘルメット装着者の右眼Ｅの前方に設け、凹面ミラー５３を、ヘルメット本体１０５におけるヘルメット装着者の顎部を覆う領域における左右方向中央よりも右寄りの箇所に内蔵したが、コンバイナ５７を、ヘルメット装着者の左眼の前方に設け、凹面ミラー５３を、ヘルメット本体１０５におけるヘルメット装着者の顎部を覆う領域における左右方向中央よりも左寄りの箇所に内蔵してもよい。このようにした場合、投射器５５は、ヘルメット本体１０５におけるヘルメット装着者の顎部を覆う領域の凹面ミラー５３よりも右側に内蔵してもよいし、凹面ミラー５３よりも左側でかつ凹面ミラー５３よりも後方の箇所に内蔵してもよい。
【産業上の利用可能性】
【００４８】
本発明は、投射器により出射された表示光をヘルメット装着者が視認可能な方向に反射するコンバイナを備えたヘルメットとして有用である。
【符号の説明】
【００４９】
１０１      ヘルメット
１０５      ヘルメット本体
１０５ｅ      エアダクト
５３      凹面ミラー
５５      投射器
５７      コンバイナ
Ｅ      右眼
【図１】
2020100911.tif 000003
【図２】
2020100911.tif 000004
【図３】
2020100911.tif 000005
【図４】
2020100911.tif 000006
【図５】
2020100911.tif 000007